(57)【要約】      （修正有）【課題】公共スペースなどで、携帯端末を利用する為の場所を提供する。【解決手段】携帯端末用ブース１００は、平面視で公共スペースを部分的に区画し、携帯端末のユーザーに対して会話を行える空間を提供する吸音ユニット１１０を備える。吸音ユニットの一角は入り口として、ドアを設けること無く常時開放される。吸音ユニットは、複数の吸音層の積層体からなり、調音手段として機能する。特に、吸音層は、接着剤によって互いに積層体として一体的に接合されており、接着剤は接合後も固化することなく、使用時においてその粘性を保持した状態を維持する粘性接着剤であり、調音手段として機能する。【選択図】図１
2014043765.tif 000002
【特許請求の範囲】
【請求項１】
平面視で公共スペースを部分的に区画し、携帯端末のユーザーに対して会話を行える空間を提供するする吸音ユニットを備え、
前記吸音ユニットの一角は入り口として、ドアを設けること無く常時開放されており、
前記吸音ユニットは、調音手段を備えたことを特徴とする携帯端末用ブース。
【請求項２】
前記吸音ユニットは、吸音層を含む請求項１に記載の携帯端末用ブース。
【請求項３】
前記吸音層は、ニードルフェルト、ベストレイ、ソフトレイ、グラスウール、サーモウール、フェノール樹脂、ポリウレタンの少なくとも１つを含む吸音材料からなる請求項２に記載の携帯端末用ブース。
【請求項４】
前記吸音ユニットは、複数の吸音層の積層体からなり、
前記吸音層は、接着剤によって互いに前記積層体として一体的に接合されている請求項１に記載の携帯端末用ブース。
【請求項５】
前記接着剤は接合後も固化することなく、使用時においてその粘性を保持した状態を維持する粘性接着剤であり、前記調音手段として機能する請求項４に記載の携帯端末用ブース。
【請求項６】
前記積層体は、隣接する前記吸音層の間に樹脂シートを挟んで積層されている請求項４に記載の携帯端末用ブース。
【請求項７】
前記樹脂シートは厚み０．１ｍｍ〜０．５ｍｍのビニールシートである請求項６に記載の携帯端末用ブース。
【請求項８】
前記樹脂シートには、複数個の開口部が設けられており、前記接着剤はこの開口部においては、前記吸音層を直接接合し、開口部以外では前記樹脂シートを介して前記吸音層を接合する請求項６に記載の携帯端末用ブース。
【請求項９】
前記吸音ユニットを所定の高さに支持する複数の支柱を更に含む請求項１に記載の携帯端末用ブース。
【請求項１０】
前記吸音ユニットは複数の吸音パネルからなり、これら吸音パネルが連結して前記区画された空間を形成する請求項１に記載の携帯端末用ブース。
【請求項１１】
前記吸音パネルは、吸音材と、この吸音材を装着する支持パネルとからなり、この支持パネルの外側の面は少なくとも部分的に開放されている請求項１０に記載の携帯端末用ブース。
【請求項１２】
前記支持パネルの外側には、遮音面が設けられている請求項１に記載の携帯端末用ブース。
【請求項１３】
前記支持パネルは、アルミパネルである請求項１１に記載の携帯端末用ブース。
【請求項１４】
前記吸音ユニットの上部に前記携帯端末用ブースの内部を上方から囲むルーフ部材を更に設けた請求項１に記載の携帯端末用ブース。
【請求項１５】
前記吸音ユニットは、平面視で円弧状に形成されている請求項１に記載の携帯端末用ブース。
【請求項１６】
前記吸音ユニットは、平面視で多角形に形成されている請求項１に記載の携帯端末用ブース。
【請求項１７】
前記多角形は、長方形、正方形または五角形であり、その一辺の少なくとも一部は開放されている請求項１６に記載の携帯端末用ブース。
【発明の詳細な説明】
【技術分野】
【０００１】
本発明は、公共スペースなどで、携帯端末を利用する為の場所を提供する携帯端末用ブースに関する。
【背景技術】
【０００２】
現在、日本でのスマートフォンや携帯電話の普及率は１００％を超え、ほぼ全ての人が常時通信手段を保持しているという状況となった。こういった携帯端末は、移動中などすき間時間に情報を収集・発信したり、通常の会話を行ったりでき利便性が高い。事実、往来や建物の中、公園などの公共スペースにいる人々のかなりの割合が、何らかの目的で携帯端末を操作している。
【先行技術文献】
【特許文献】
【０００３】
【非特許文献１】インターネット
【発明の概要】
【発明が解決しようとする課題】
【０００４】
しかしながら、外出中に携帯端末で会話を行う際には、これまでの電話ボックスなどに置かれた公衆電話とは違って、他の人々が普通に歩行している場所で行うという場合が多い。従って、雑踏などでは、周りの雑音で相手の声が良く聞こえないということも少なくない。
【０００５】
駅や建物の中であっても、周囲の反響が響いて、ゆっくりと会話を行うということはできない。普通は壁の近くなどへ寄って、いくらかでも静かな場所で話そうとする。しかし、実際には壁で反射する雑音が加わって、壁の近くは決して静かな場所ではない。通話相手にとっても、この反射雑音によって音声が聞き取りづらくなってしまうということもある。一方で、通路の真ん中に出て会話を行うというのもあまりよい選択ではない。
【０００６】
また、会話の内容は周囲の人に聞こえる可能性があり、プライベートな内容は話しにくいということもある。更に、歩行しながらの会話や携帯端末の利用は、周りの通行人に迷惑を与える場合もあり、余りマナーの良い行為とは言えない。
【０００７】
従来の電話ボックスと同様のボックスを、ほぼそのまま携帯電話ボックスとしたものも存在する（非特許文献１）。このような従来の電話ブースは、直方体の形状をしたドア付き閉鎖空間となっている。そして、セキュリティ上の配慮や開放感を与える観点から、側面はガラスを用いた壁となっている。ここで閉鎖空間とするのは、ノイズの少ない空間というのは外部と遮断することでのみ形成されると信じられていたためである。
【０００８】
しかしながら、少なくとも、携帯電話の利用という目的からすれば、この考えは誤りである。閉鎖空間は、ノイズの反響空間でもある。ガラスを通過する音響は大きくなくとも、反響音はやかましく感じられる。特に、内部の利用者自身が発する音声などが反響する音もこの反響音となり得る。更に、このようなものを新たに設置するには一定の空間が必要である。また、コスト的にも高くついてしまう。更に、気軽に設置したり利用するにはやや大げさである。
【０００９】
そこで、本発明の目的は、携帯端末を気兼ねなく快適に利用でき、開放感もある小型の携帯端末用ブースを提供することである。
【課題を解決するための手段】
【００１０】
上記課題を解決するために、本発明の携帯端末用ブースは、平面視で公共スペースを部分的に区画し、携帯端末のユーザーに対して会話を行える空間を提供するする吸音ユニットを備え、前記吸音ユニットの一角は入り口として、ドアを設けること無く常時開放されており、前記吸音ユニットは、調音手段を備えたことを特徴とする。このような構成とすることで、手軽に携帯端末の利用空間を提供できる。
【００１１】
好ましい実施例では、前記吸音ユニットは、吸音層を含んでいる。
【００１２】
また、好ましい実施例では、前記吸音層は、ニードルフェルト、ベストレイ、ソフトレイ、グラスウール、サーモウール、フェノール樹脂、ポリウレタンの少なくとも１つを含む吸音材料からなっている。
【００１３】
好ましい実施例では、前記吸音ユニットは、複数の吸音層の積層体からなり、前記吸音層は、接着剤によって互いに前記積層体として一体的に接合されている。
【００１４】
更に、好ましい実施例では、前記接着剤は接合後も固化することなく、使用時においてその粘性を保持した状態を維持する粘性接着剤であり、前記調音手段として機能する。
【００１５】
更に、好ましい実施例では、前記積層体は、隣接する前記吸音層の間に樹脂シートを挟んで積層されている。
【００１６】
更に、好ましい実施例では、前記樹脂シートは厚み０．１ｍｍ〜０．５ｍｍのビニールシートである。
【００１７】
更に、好ましい実施例では、前記樹脂シートには、複数個の開口部が設けられており、前記接着剤はこの開口部においては、前記吸音層を直接接合し、開口部以外では前記樹脂シートを介して前記吸音層を接合する。
【００１８】
更に、好ましい実施例では、前記吸音ユニットを所定の高さに支持する複数の支柱を更に含んでいる。。
【００１９】
更に、好ましい実施例では、前記吸音ユニットは複数の吸音パネルからなり、これら吸音パネルが連結して前記区画された空間を形成する。
【００２０】
更に、好ましい実施例では、前記吸音パネルは、吸音材と、この吸音材を装着する支持パネルとからなり、この支持パネルの外側の面は少なくとも部分的に開放されている。
【００２１】
更に、好ましい実施例では、前記支持パネルの外側には、遮音面が設けられている。
【００２２】
更に、好ましい実施例では、前記支持パネルは、アルミパネルである。
【００２３】
更に、好ましい実施例では、携帯端末用ブースは、更に前記吸音ユニットの上部に、前記携帯端末用ブースの内部を上方から囲むルーフ部材を備えている。
【００２４】
更に、好ましい実施例では、前記吸音ユニットは、平面視で円弧状に形成されている。
【００２５】
更に、好ましい実施例では、前記吸音ユニットは、平面視で多角形に形成されている。
【００２６】
更に、好ましい実施例では、前記多角形は、長方形、正方形または五角形であり、その一辺の少なくとも一部は開放されている。
【発明の効果】
【００２７】
本発明に係わる携帯端末用ブースによれば、部分的に囲まれたプライベートな空間を提供することで、落ち着いて携帯端末を利用できる。また、この空間は、吸音ユニットとなっているため、狭い空間で感じる息苦しさや、不快な音の響きというものはなく、快適な状況で携帯端末を利用できる。更に、後ろ側には音がもれず、会話の音声も内部で吸収され前方への反射が無い。従って、他人に会話の内容を聞かれてしまうという危惧が小さくなり、また、大きな声の人も周囲の迷惑にならないようになる。更には、通話相手にとっても、反射雑音が軽減されるということで、音声が聞きやすくなる。
【図面の簡単な説明】
【００２８】
【図１】図１は、実施例１の携帯端末用ブースを示す斜視図である。
【図２】図２は、実施例１の携帯端末用ブースの板状吸音パネルの構造を示す分解斜視図である。
【図３】図３は、実施例１の携帯端末用ブースの吸音材の吸音構造を示す断面図である。
【図４】図４は、図３の吸音材に挿入されているビニールシートに設けられた開口部を示す平面図である。
【図５】図５は、国際公開公報（ＷＯ２００６／１３４６５４）に記載されている吸音構造を示している。
【図６】図６は、実施例１の携帯端末用ブースの板状吸音パネルの構造を示す断面図である。
【図７】図７は、実施例１の携帯端末用ブースの板状吸音パネルの構造を示す部分断面図である。
【図８】図８は、実施例２の携帯端末用ブースで用いるルーフ部材を示す平面図である。
【図９】図９は、実施例２の携帯端末用ブースの平面図である。
【図１０】図１０は、別の例のルーフ部材を用いた実施例２の携帯端末用ブースの平面図である。
【図１１】図１１は、実施例３の携帯端末用ブースを示す斜視図である。
【図１２】図１２は、実施例３の携帯端末用ブースにルーフ部材を設けた状態を示す平面図である。
【図１３】図１３は、実施例４として説明する携帯端末用ブースの変形例の吸音ユニットの断面図である。
【図１４】図１４は、実施例４として説明する携帯端末用ブースの別の変形例の吸音ユニットの断面図である。
【図１５】図１５は、実施例４として説明する携帯端末用ブースの更に別の変形例の吸音ユニットの断面図である。
【図１６】図１６は、実施例４として説明する携帯端末用ブースの更に別の変形例の平面図である。
【図１７】図１７は、図１６のＡ−Ａ線に沿った吸音ユニットの断面図である。
【図１８】図１８は、実施例４として説明する携帯端末用ブースの別の変形例を正面から見た図である。
【図１９】図１９は、実施例４として説明する携帯端末用ブースの更に別の変形例の斜視図である。
【図２０】図２０は、実施例５の携帯端末用ブースを示す斜視図である。
【図２１】図２１は、実施例５の携帯端末用ブースに着脱可能な看板を示す斜視図である。
【図２２】図２２は、図２１の看板を背面から見た部分拡大斜視図である。
【図２３】図２３は、実施例５の携帯端末用ブースに、図２１の看板を取り付ける方法を示す部分拡大斜視図である。
【図２４】図２４は、実施例５の携帯端末用ブースに、図２１の看板を取り付けた状態を示す斜視図である。
【図２５】図２５は、実施例５の携帯端末用ブースの変形例を示す斜視図である。
【図２６】図２６は、実施例６の携帯端末用ブースを示す斜視図である。
【図２７】図２７は、実施例６の携帯端末用ブースの板状吸音パネルの構造を示す分解斜視図である。
【図２８】図２８は、実施例６の携帯端末用ブースの板状吸音パネルの構造を示す断面図である。
【図２９】図２９は、実施例６の携帯端末用ブースの板状吸音パネルの別の具体例を示す平面図である。
【発明を実施するための形態】
【００２９】
以下、添付図面を参照しながら本発明の実施形態による携帯端末用ブースを説明する。この携帯端末用ブースは、駅の構内、ビルのロビー、雑踏などに設置しておく。携帯電話を利用したい人は、このブースに入って電話をかけることで周りの反響音などを避け、また話の内容を近くにいる人には聞き取りにくい状態で会話を行うことができる。さらに、周囲の人の視線に気兼ねなく携帯電話を利用できる。
【実施例１】
【００３０】
図１は、実施例１の携帯端末用ブースを示す斜視図である。この携帯端末用ブース１００は、前面に開いた円筒形状の吸音ユニット１１０と、この吸音ユニット１１０を支える支持フレーム１２０とからなっている。それぞれ分解状態で搬入し、現地で組み立てることができる。
【００３１】
吸音ユニット１１０は、幅２０ｃｍ、長さ６０ｃｍ、厚み３ｃｍの板状の板状吸音パネル１１１を、アーチ状に連結して構成されている。また、支持フレーム１２０は、吸音ユニット１１０に垂直に接続した４本のパイプ（支柱）１２１と、パイプ１２１の下面に貼り付けられている樹脂製のアジャスタフット１２３からなる。
【００３２】
パイプ１２１の長さを１８０ｃｍとすると、アーチ状の吸音ユニット１１０の下端は床から約１２０ｃｍの高さとなる。また、吸音ユニット１１０は耳の位置よりも少し上まであればよい。概ね、この携帯端末用ブース１００を設置する国の平均身長よりも、板状吸音パネル１０１の上端が１０〜１５ｃｍ程度上にあるようにする。
【００３３】
図２に示したように、板状吸音パネル１１１は、アルミパネル(支持パネル)１１３に吸音材１１５を装着したものである。この吸音材１１５は、例えば、株式会社ハウス１１９から販売されている「ルームクリエータ」を利用する。また、吸音材１１５を装着したアルミパネル１１３の上端および下端には、パネルキャップ１１７が嵌合されている。また、図示の通り、板状吸音パネル１１１を組み合わせた状態で、前方が開口した円筒形となる。この場合で、開口部は、円筒形の中心からの見込み角で９０〜１２０度、つまり円周の１／４から１／３程度の大きさとなっている。この角度範囲は、発明者が実験によって特定したものであり、今回の目的では重要である。
【００３４】
一般に、遮音といった場合、大きく分けて２つの性能を考える必要がある。一つは、そのパネルに入射する音波を熱エネルギーに変換してしまう吸収性能である。もう一つはそのパネルに入射する音波を通過させずに反射する反射性能である。
【００３５】
音を外に漏らさないという意味では、音波を通過させずに反射してしまうという機能も重要である。防音壁などでは、とにかく音を通さなければ良い。しかし、音楽を楽しむなどの場合は、室内で反響してしまい快適とはいえずに、また室内で再生可能な帯域は非常に狭まってしまう。
【００３６】
携帯電話を利用する場合、できるだけ落ち着ける場所として、しばしば壁の隅へ行ってかけることがあるが、そこは音波が反射する場所であり、音響という点では決して良いとはいえない。従って、今回の目的では、特に吸収性能が重要である。
【００３７】
ルームクリエータ（吸音材１１５）は、優れた調音素材であり、図３に示したような吸音構造を持っている。これは、ニードルフェルト、ベストレイ、ソフトレイ、グラスウール、サーモウールといった材質の吸音シート１１５ａを２枚積層させ、間に音波拡散フィルムとして機能する薄いビニールシート（樹脂シート）１１５ｂを挟んで接着させたものである。吸音シート１１５ａの他の材質としては、フェノール樹脂、ポリウレタンなどがある。一枚の吸音シート１１５ａの厚みは１〜２ｃｍであり、ビニールシート１１５ｂの厚みは０．１ｍｍ〜０．５ｍｍ程度である。更に、保護および支持用の軟質塩化ビニル樹脂板１０５ｃを裏面に設ける。また、内側の面は布１１５ｄが貼ってある。全体として、２〜４ｃｍ程度となる。
【００３８】
ビニールシート１１５ｂは、図４の平面図に示したように、多数の円形開口部１１５ｈが設けられている。例えば、開口部１１５ｈの直径は２ｃｍで、互いの間隔は７ｃｍである。このような開口部１１５ｈを設けることで、入力する音波を横方向に散乱させ、吸音シート１１５ａによる吸音効果を高めることが出来る。また、開口部１１５ｈは、入力する音波の一部を通過させることにより、反射と透過のバランスを取るという調音機能も持っている。
【００３９】
ビニールシート１１５ｂと吸音シート１１５ａとは粘性接着剤によって接着されている。また、円形開口部１１５ｈ越しに、吸音シート１１５ａ同士が粘性接着剤によって接着されている。この粘性接着剤は、ビニールシート１１５ｂと吸音シート１１５ａとの間に、一定の粘性を保って介在する。また、この粘性接着剤は、開口部１１５ｈを介して、吸音シート１１５ａ間にも、一定の粘性を保って介在する。すなわち、使用時においても完全に硬化せず、ネバネバした状態を保っているという点が重要である。
【００４０】
このような吸音構造は、国際出願（出願番号：ＰＣＴ／ＪＰ２０１１／５８９４４）に記載されている。その特徴としては、低周波から高周波まで広い帯域において優れた吸音性能を持っていることにある。特に、今回の目的では、この吸音構造によって、通話の際に騒音と感じられる帯域５００HZ以上の音圧を大幅に低減させるという点が重要である。一般的には、低周波において吸音性能を維持することは困難とされている。このように高周波成分のみを取っても、それは音の環境としては不自然であり、ブース内部に入った場合にやや窮屈な印象を受ける。それに対して、一様に吸音された空間では、囲まれているにも拘わらず不自然さは感じず、空間がひろがったような印象を受けるものである。
【００４１】
吸音材１１５として、国際公開公報（ＷＯ２００６／１３４６５４）に記載されている吸音構造を利用しても良い。この吸音構造の特徴は、壁面で構成される、音波の通る音道につき、その断面構成が、少なくとも、その入り側で開口面積の減少率が徐々に小さくなるように構成された狭窄部を有する構造にある。特に、広帯域の音波を吸収できるという点で優れている。
【００４２】
図５は、国際公開公報（ＷＯ２００６／１３４６５４）に記載されている吸音構造を示している。この断面図に示されているように、円筒状の吸音体１２を並べ、吸音材２０で隙間を埋めたような構造となっている。吸音材１１５の場合、この吸音体１２は、アクリル樹脂の円筒であり、狭窄部１１（間隙）を挟んで互いに離隔して平行に設けられている。この吸音体の長手方向を、板状吸音パネル１１１の長手方向に一致させるようにし、表面をファブリック張りとして吸音材１１５とする。
【００４３】
このような吸音材１１５を用いることで、携帯端末用ブース内部での音の反響は起こらず、静かで落ち着いた空間で会話を行うことができる。
【００４４】
図６の断面図や図７の拡大断面図に示したように、板状吸音パネル１１１には、アルミパネル１１３の縁部から突出した円筒状の耳部１１３ｅと、反対側の縁部にこの円筒状の耳部１１３ｅと枢動可能に係合する耳受１１３ｇが設けられている。隣接する板状吸音パネル１１１同士を、この耳部１１３ｅを耳受１１３ｇに挿入し、長手方向にスライド係合させることにより、互いに連結させる。パイプ１２１と板状吸音パネル１１１との結合は、板状吸音パネル１１１の側面へのネジ止めによって行われる。
【００４５】
このように吸音パネルを円弧状に組み合わせると、確かにパネルの裏側や側面からの音響を減衰する効果はある。その一方で、前面から内側に入ってくる音響、つまり円弧状に開いた側の音響については、直接それを減衰することはできない。しかしながら、狭い空間で感じる息苦しさや、不快な音の響きというものは、壁からの反響によるものが大きい。例えば、屋外の開けた広い場所なら、多くの人が集まっていても思いの外にうるさいという感じを持たないものである。
【００４６】
この吸音材の特徴は、内部で音響を横に逸らすことで反響をなくし、あたかもパネルの外側に空間が広がっているような効果をもたらす点にある。従って、完全に閉じたブースなら内面からの反響音が集まり、音がキンキンしてしまうであろうところが、上記構造(PCT/JP2011/58944 又は WO2006/134654に記載の構造)による携帯端末用ブースでは非常に快適な内部空間が形成される。
【００４７】
出願人は、この携帯端末用ブースの試作品を制作し、その吸音性能を検証する実験を行った。試作品を設置した実験室の大きさは１３２ｍ2で高さは２．７ｍである。使用機材は、レコーダーおよびシグナル発生器としてPro tools LE7（以下ＰＴ）、マイクはAKG C451、マイクアンプはDigidesign 002、スピーカーはSONY SMS-1P（パワードSP）である。
【００４８】
まず、マイクを試作品の中央（すなわち、板状吸音パネルの円筒中心）に配置し、その開口部から３ｍ離れた位置にスピーカーを配置した。ＰＴにてピンクノイズを発生させ、これをスピーカーから再生出力し、再生と同時にＰＴにてマイク音声を３０秒録音した。録音フォーマットは２４ｂｉｔ、４８ｋＨｚである。ＰＴで録音された音声データは、１６ｂｉｔ、４４．１ｋＨｚのデータとして書き出し、Wave Spectra（Windows（登録商標）ソフト）にて周波数分析（ＦＦＴ）を行った。
【００４９】
試作品としては、板状吸音パネルとして１０ｃｍ巾のもの２４枚と３０ｃｍ巾のもの８枚を用いて２種類の携帯端末用ブースを作成して実験を行った。パネルの高さは共に６０ｃｍである。また、同等の実験を上記携帯端末用ブースの代わりにコンクリートパネルのブースでも行った。
【００５０】
実験結果として、１０ｃｍ巾のものと３０ｃｍ巾のものとでは、大きな差異は確認できなかった。但し、板状吸音パネルの間の隙間が大きいと、その隙間の反射が影響したと思われる若干の差異が、１ｋＨｚ以上の周波数領域に現れた。
【００５１】
コンクリートパネルの実験では、板状吸音パネルの実験と比較して、明らかに全領域にて音圧レベルの上昇が見られた。特に、可聴領域にて最大２０ｄＢ程度の上昇が生じていた。この差異は、聴感上でも明瞭に感じられた。結論として、板状吸音パネルは反響を抑えるという点で、大きな効果が期待できる事がわかった。
【００５２】
更に、３０ｃｍ巾の板状吸音パネルを平面に並べて吸音壁とした場合と、円筒形に２７０°囲んだ場合の比較実験も行った。結果として、３００Ｈｚ近辺と５５０Ｈｚ近辺、２ｋＨｚ〜４ｋＨｚを中心にして大きな差が見られた。３００Ｈｚ近辺と５５０Ｈｚ近辺は音の籠りを感じる周波数帯であり、携帯等の通話などの場合、会話の音声に明瞭さを感じるか否かに大きな影響を与える成分である。従って、円筒形に囲むことで、音声の聞き取りが容易になることがわかる。これは、通話相手にとっても同様である。
【００５３】
更に、いずれの実験においても、１０ｋＨｚ以上で、低周波数領域に比較して２０ｄＢ程度の音圧レベルの上昇が認められた。これは板状吸音パネルの表層が固い為か、パネル間の隙間の反射のためと思われる。なお、今回の場合、吸音材の高さが６０ｃｍしかない為、高さに余裕を持たせれば開口部からの反射をもっと押さえられる可能性がある。
【００５４】
なお、携帯端末用ブース内部の反射音以外の音についても、上記構造はその抑制に効果が高い。例えば、吸音ユニットの裏側（外側）はアルミパネル１１３でてきており、外部からの音を遮断し反射する。よって、このアルミパネル１１３は、携帯端末用ブース越しに入ってくる音の抑制効果を高めている。これにより、ユーザーおよび通話相手にとって話しやすい環境が形成される。もちろん、アルミパネルの代わりに、スチール、ジュラルミン、チタンなど他の金属や合金製の遮音パネルとしても良く、コストや強度などを考慮して強化プラスチックや木材など他の材料の遮音パネルとしても良い。
【実施例２】
【００５５】
実施例２では、実施例１の携帯端末用ブースに更にルーフ部材を設けたものである。図８に示したように、このルーフ部材２０１は、半円形で中央にやはり半円形の切り欠き２０３が設けられている。全体の面積としては、円筒形状の携帯端末用ブースの上側の開口部分の面積の約３０〜４０％が隠れる程度とする。図９は、実施例１の携帯端末用ブース１００に取り付けた状態を上から見た平面図である。
【００５６】
使用形態としては、携帯端末用ブースの上に載置するだけなので、比較的に小さな強度で十分である。従って、ＡＢＳ樹脂などのプラスチックまたはアルミの基板２０５の下に吸音材２０７を貼りあわせた構造となっている。吸音材２０７は、やはり上記のルームクリエータを利用する。基板２０５には、周辺の３箇所に貫通孔２０９が設けられており、ここにボルトを通して下のパネルキャップ１１７に設けられた雌ネジ（図不示）にネジ止めを行うことで固定できる。
【００５７】
このようなルーフ部材２０１を用いることで、上方から入ってくる音響を遮断することができ、より静かな空間を形成することが出来る。また、上方の開口全体を覆うのではなく一部分とすることで、外部の光を取り入れると共に、一定の開放感を持たせることが出来る。勿論、図１０に示したように上方の開口全体を覆うようにすれば、音響を遮断する効果をさらに高めることが出来る。
【実施例３】
【００５８】
図１１は、実施例３の携帯端末用ブースを示す斜視図である。この携帯端末用ブース３００は、実施例１の携帯端末用ブース１００との違いは、支持フレーム３２０が吸音ユニット３１０の下部に接続されているという点である。以下、実施例１と異なる部分を説明する。
【００５９】
吸音ユニット３１０は、幅２０ｃｍ、長さ６０ｃｍの板状の板状吸音パネル３１１を、アーチ状に連結して構成されている。また、支持フレーム３２０は、吸音ユニット３１０に垂直に接続した４本のパイプ３２１と、これらのパイプ３２１の中央部を連結したアーチ部材３２３と、これらのパイプ３２１の下端に接続した円盤プレート３２５とからなっている。また、円盤プレート３２５の下面には、ゴムシートが貼り付けられている。やはり、パイプ３２１の長さは１２０ｃｍである
【００６０】
パイプ３２１の上端には雄ネジ（図不示）が設けられており、パネルキャップ３１７の対応する位置に設けられた雌ネジ（図不示）に螺合することで固定する。また、パイプ３２１の中央位置にはアーチ部材３２３を挿入可能な貫通孔３２９が設けられ、アーチ部材を挿入し六角ネジ３２７で固定することができる。
【００６１】
更に、パイプ３２１の下端には雌ネジ（図不示）が設けられており、円盤プレート３２５の上面に設けられた雄ネジ（図不示）に螺合することで固定する。このような構造とすることで、吸音ユニット３１０の外観がシンプルでデザイン的に優れているとともに、アーチ部材３２３によって十分な強度を確保できる。なお、この実施例でも、実施例２で示したようなルーフ部材２０１を設けることもできる（図１２参照）。
【実施例４】
【００６２】
実施例４では、上記実施例の幾つかの変形例を説明する。実施例１の場合、吸音ユニット１１０は、横断面が部分的な円筒状の形態となっている。しかし、これに限らず横断面がコの字の形態や、多角形状（長方形、正方形、五角形など）の形態などとしても良い。この多角形のその一辺の少なくとも一部は開放されている。
【００６３】
例えば、図１３の平面図に示したように、断面コの字型の吸音ユニット３４０とすれば、空間利用率を高くなり、設置場所の選択肢が増える。そして、製造や設置または取り扱いの面でも、利便性が高くなる。また、図１４の平面図に示したように、前面の入り口部分を狭くして、調音機能を高めても良い。
【００６４】
更に、図１５の平面図に示したように、二双屏風型（又はＬ字型）の吸音ユニット３５０とすることもできる。この場合は、非常に開放感があり、壁に寄り添うような間隔で気軽に利用できるというメリットがある。更に、コストも低く抑えられる。
【００６５】
上記吸音ユニットの夫々は、基本的に同じ板状吸音パネルを組み合わせることで製作できる。しかし、図１３から図１５の構造の場合では、このような多くの小さな板状吸音パネルの代わりに、一枚の大きな板状吸音パネルで１つの辺を構成するようにしても良い。この場合、吸音ユニットを組み立てる際の手間が少なく且つ、接合部分が余り無い為により静音機能が高くなる。図１６は、左右および背面３６１Ｌ、３６１Ｒ、３６１Ｂの夫々を一枚の大きな板状吸音パネルで構成するようにした吸音ユニットを備えた携帯端末用ブースを示す斜視図である。また、図１７は、図１６のＡ−Ａ線に沿った吸音ユニットの断面図である。左右面３６１Ｌ、３６１Ｒの夫々の縁部には一対の支柱が設けられている。なお、この携帯端末用ブースは更に吸音ユニットの上部にルーフ部材３６１Ｔを備えている。
【００６６】
また、図１８に示したように、実施例１の吸音ユニット１１０を足元まで延長して、吸音ユニット３３０として良い。この場合は、吸音の効果が非常に大きく、より静かな空間を形成することが出来る。また、足元が隠れるので、女性は他人の視線が気にならなくなる。また、図１８の携帯端末用ブースに実施例２のルーフ部材２０１を組み合わせて上部に設置すれば、更に静かな空間となる。
【００６７】
また、上記のように、板状吸音パネルを多数組み合わせて、吸音ユニットを構成した場合、どうしても接続部分の存在によって反響抑制や吸音の効果が一定程度損なわれてしまう。しかし、図１９に示したように、扇状の一枚の板状吸音パネル２１１を吸音ユニットとすれば、接続部分の影響を取り除くことができる。ここでは、扇状の全体にわたって吸音材が連続的に設けられている。
【実施例５】
【００６８】
図２０は、実施例５の携帯端末用ブースを示す斜視図である。実施例１の携帯端末用ブースと同様に、この携帯端末用ブース４００は、前面に開いた円筒形状の吸音ユニット４１０と、この吸音ユニット４１０を支える支持フレーム４２０とからなっている。やはり、それぞれ分解状態で搬入し、現地で組み立てることができる。
【００６９】
吸音ユニット４１０は、幅２０ｃｍ、長さ１２０ｃｍ、厚み３ｃｍの板状吸音パネル４１１を、アーチ状に連結して構成されている。また、支持フレーム４２０は、吸音ユニット４１０に垂直に接続した４本のパイプ４２１ｂ、４２１ｆと、パイプ４２１ｂ、４２１ｆの下面に貼り付けられている樹脂製のアジャスタフット４２３からなる。
【００７０】
パイプ４２１ｂ、４２１ｆの長さを２００ｃｍとすると、アーチ状の吸音ユニット４１０の下端は床から約８０ｃｍの高さとなる。吸音ユニット４１０の構造は、サイズを除いて、実施例１のものと同一であり、更に上端に図１０に示したようなルーフ部材が設けられている。
【００７１】
実施例５の携帯端末用ブースは、吸音ユニット４１０の前面開口部(入り口)の両側に位置する板状吸音パネル４１１上部を連結するアーチ状接続部４４０を備えている。このアーチ状接続部４４０は、携帯端末用ブースの安定性を向上させる。板状吸音パネル４１１は互いに枢動可能に連結しているので、アーチ状接続部４４０として異なる長さのものを用いれば、携帯端末用ブースの大きさを変えることも出来る。
【００７２】
本発明の携帯端末用ブースでは、吸音ユニットの内側および外側を広告スペースとすれば、一定の広告収入も見込める。実施例５の携帯端末用ブースは、更に、着脱可能な看板を設置できる。図２１に、この看板の斜視図を示す。ここに示したとおり、着脱可能な看板４３０は、プラスチック製の広告板４３２と、この広告板の両端に固定する支持ポール４３４とからなっている。
【００７３】
図２２に示すように、広告板４３２は、支持ポール４３４にネジ４３４ｓで止められており、適宜、別の広告板を交換可能となっている。また、図２３に示すように、この携帯端末用ブースの前方の２本のパイプ４２１ｆの上端には、支持孔４２１ｈが設けられている。一方、支持ポール４３４には下方に突出した支持ロッド４３４ｒが設けられており、パイプ４２１ｆの支持孔４２１ｈに挿入し、看板を吸音ユニット４１０の上部に設置できるようになっている（図２４参照）。
【００７４】
図２５は、実施例５の携帯端末用ブースの変形例を示す斜視図である。この携帯端末用ブース４５０は、図２０のアーチ状接続部４４０の代わりにアーチ状接続部４５２を備えている。アーチ状接続部４５２は、吸音ユニット４１０の上端から更に上方へ突出し、図２４の看板４３０と対応する位置に設けられている。具体的には、携帯端末用ブース４５０の前方の２本のパイプ４２１ｆは、携帯端末用ブース４００の支持ポール４３４と同様に、ルーフ部材４５５を越えて上方へ延出しており、アーチ状接続部４５２は、このパイプ４２１ｆの延出部分の間に設けられている。このアーチ状接続部４５２は、前面開口部(入り口)を狭めることなく、携帯端末用ブース４５０の安定性を向上させることができる。
【実施例６】
【００７５】
図２６は、実施例６の携帯端末用ブースを示す斜視図である。この携帯端末用ブース５００は、実施例１の携帯端末用ブースと吸音ユニット５１０の構造が異なる。特に、異なる構造の板状吸音パネル５１１を用いている。
【００７６】
図２７に、この携帯端末用ブース５００の板状吸音パネル５１１の分解斜視図を示す。また、図２８に、断面図を示す。実施例１の携帯端末用ブースの吸音ユニットと同様に、板状吸音パネル５１１は、アルミパネル５１３に吸音材５１５を装着したものである。
【００７７】
但し、アルミパネル５１３の外側は少なくとも部分的に開放されている。ここでは、アルミパネル５１３には、複数のスリット５１４が設けられている。すなわち、前面がグリルとなっており、そこから内部の吸音材５１５が露出している。このグリルが形成されていること以外は、板状吸音パネル５１１は、実施例１の板状吸音パネル１１１と同じ構造を持っている。図２の構造と比較して、このような構造は、外部からの音を遮断し反射する機能は劣っているが、携帯端末用ブース内部の反響を抑制するには効果的である。つまり、第１の実施形態の場合、携帯端末用ブース内部から吸音ユニット１１０の内側に入射する音は、吸音材１１５を通ってアルミパネル１１３の内面で反射され、携帯端末用ブース内部空間での反響を増幅する。しかし、この実施形態では、このような吸音ユニット１１０の内側に入射する音は、アルミパネル５１３のスリット５１４を通過して外部へ逃がされるので、携帯端末用ブース内部空間での反響を抑制することが出来る。
【００７８】
従って、グリル５１３ｇは、高周波成分を多く含む反響音を小さくすることで、携帯端末用ブース内部の音響を調整する手段となっている。一般的に、アルミパネル５１３の中央面を(部分的に)除去することは、同様の効果がある。例えば、図２９に、このように中央面を除去されたアルミパネルの別の具体例を示す。ここで、アルミパネルは、外側の枠５１６と内側の格子状のストリップ５１７からなっており、この格子ごしに内部の吸音材５１５が露出している。
【００７９】
本発明の携帯端末用ブースは、町の雑踏の中、屋内の人ごみの中などで、音声付きの案内BOXとしての機能を兼ねるようにすることもできる。例えば、携帯端末用ブース内部の正面(例えば、図２０のアーチ状接続部４４０の内面)にタッチパネル付きのディスプレイを設けて、音声で案内するといったことが可能となる。インターネットへの接続機能も付加して、設置型テレビ電話を設ければ、テレビ電話会議も可能となる。
【００８０】
本発明に係わる携帯端末用ブースによれば、携帯端末の利用空間を提供でき、利用者の利便性を高めることができる。例えば、ホテルのロビーなどに設置すれば、マナーよく快適に携帯端末を使うことができ、ホテル自体の雰囲気を良くなる。また、吸音ユニットの外側を広告スペースとすれば、一定の広告収入も見込める。例えば、携帯端末用ブース内部にスピーカーを設置し、音声広告を流すようにしても良い。この音声広告は常時流しておき、ユーザーが入ったことを人感センサーで検知してから一定時間経過後、止めるようにすれば、会話の妨げにならない。この一定時間は、３０秒以内、例えば３秒〜２０秒、好ましくは５秒〜１０秒とする。ユーザーが退出すれば、音声広告は再開する。また、音楽を同時に流しても良い。
【００８１】
本発明に係わる携帯端末用ブースによれば、部分的に囲まれたプライベートな空間を提供することで、落ち着いて携帯端末を利用できる。また、この空間は、吸音ユニットとなっているため、狭い空間で感じる息苦しさや、不快な音の響きというものはなく、快適な状況で通話を行うことができる。更に、後ろ側や横方向には音がもれず、会話の音声も内部で吸収され前方への反射が無い。従って、他人に会話の内容を聞かれてしまうという危惧が小さくなり、また、大きな声の人も周囲の迷惑にならないようになる。更には、通話相手にとっても、反射雑音が軽減されるということで、音声が聞きやすくなる。
【００８２】
以上、本発明を実施例により詳細に説明したが、当業者にとっては、本発明が本願中に説明した実施例に限定されるものではないということは明らかである。本発明の装置は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【産業上の利用可能性】
【００８３】
本発明に係わる携帯端末用ブースによれば、携帯端末の利用空間を提供でき、利用者の利便性を高めることができる。例えば、ホテルのロビーなどに設置すれば、マナーよく快適に携帯端末を使うことができ、ホテル自体の雰囲気を良くなる。また、吸音ユニットの外側を広告スペースとすれば、一定の広告収入も見込める。
【符号の説明】
【００８４】
１１    狭窄部
１２    吸音体
２０    吸音材
１００    携帯端末用ブース
１００    普及率は
１０１    板状吸音パネル
１０５ｃ    軟質塩化ビニル樹脂板
１１０    吸音ユニット
１１１    板状吸音パネル
１１３    アルミパネル
１１３ｅ    耳部
１１３ｇ    耳受
１１５    吸音材
１１５）    吸音材
１１５ａ    吸音シート
１１５ｂ    ビニールシート
１１５ｄ    布
１１５ｈ    円形開口部
１１５ｈ    開口部
１１７    パネルキャップ
１２０    支持フレーム
１２１    パイプ
１２３    アジャスタフット
２０１    ルーフ部材
２０３    欠き
２０５    基板
２０７    吸音材
２０９    貫通孔
２１１    板状吸音パネル
２７０    円筒形に
３００    携帯端末用ブース
３１０    吸音ユニット
３１１    板状吸音パネル
３１７    パネルキャップ
３２０    支持フレーム
３２１    パイプ
３２３    アーチ部材
３２５    円盤プレート
３２７    六角ネジ
３２９    貫通孔
３３０    吸音ユニット
３４０    吸音ユニット
３５０    吸音ユニット
３６１Ｔ    ルーフ部材
４００    携帯端末用ブース
４１０    吸音ユニット
４１１    板状吸音パネル
４２０    支持フレーム
４２１ｂ、４２１ｆ    パイプ
４２１ｈ    支持孔
４２３    アジャスタフット
４３０    看板
４３２    広告板
４３４    支持ポール
４３４ｒ    支持ロッド
４３４ｓ    ネジ
４４０    アーチ状接続部
４５０    携帯端末用ブース
４５２    アーチ状接続部
４５５    ルーフ部材
５００    携帯端末用ブース
５１０    吸音ユニット
５１１    板状吸音パネル
５１３    アルミパネル
５１３ｇ    グリル
５１４    スリット
５１５    吸音材
５１６    枠
５１７    ストリップ
【図１】
2014043765.tif 000003
【図２】
2014043765.tif 000004
【図３】
2014043765.tif 000005
【図４】
2014043765.tif 000006
【図５】
2014043765.tif 000007
【図６】
2014043765.tif 000008
【図７】
2014043765.tif 000009
【図８】
2014043765.tif 000010
【図９】
2014043765.tif 000011
【図１０】
2014043765.tif 000012
【図１１】
2014043765.tif 000013
【図１２】
2014043765.tif 000014
【図１３】
2014043765.tif 000015
【図１４】
2014043765.tif 000016
【図１５】
2014043765.tif 000017
【図１６】
2014043765.tif 000018
【図１７】
2014043765.tif 000019
【図１８】
2014043765.tif 000020
【図１９】
2014043765.tif 000021
【図２０】
2014043765.tif 000022
【図２１】
2014043765.tif 000023
【図２２】
2014043765.tif 000024
【図２３】
2014043765.tif 000025
【図２４】
2014043765.tif 000026
【図２５】
2014043765.tif 000027
【図２６】
2014043765.tif 000028
【図２７】
2014043765.tif 000029
【図２８】
2014043765.tif 000030
【図２９】
2014043765.tif 000031